(57)【要約】【課題】ターゲットに標識されるべき蛍光体の退色を早めず、かつ生体試料の負担を過大にさせることもなく合焦し得るようにする。【解決手段】生体サンプルのターゲットに標識されるべき蛍光体に対して未励起状態であり、該ターゲットよりも占有量の高い対照に標識されるべき蛍光体を励起状態とする光を照射し、撮像面に結像される生体サンプル部位の像を用いて、該生体サンプル部位に対して焦点を合わせる。その後、対照に標識されるべき蛍光体を励起状態とする光に代えて、生体サンプルのターゲットに標識されるべき蛍光体を励起状態とする光を照射し、撮像面に結像される生体サンプル部位の像を、記録対象とすべき暗視野像として取得する。【選択図】図１０
2011053361.tif 000002
【特許請求の範囲】
【請求項１】
生体サンプルのターゲットに標識されるべき蛍光体に対して未励起状態であり、該ターゲットよりも占有量の高い対照に標識されるべき蛍光体を励起状態とする光を照射する照射ステップと、
上記撮像面に結像される生体サンプル部位の像を用いて、該生体サンプル部位に対して焦点を合わせる合焦ステップと、
上記光に代えて、上記生体サンプルのターゲットに標識されるべき蛍光体を励起状態とする光を照射する照射光変更ステップと、
上記撮像面に結像される生体サンプル部位の像を、記録対象とすべき暗視野像として取得する取得ステップと
を有する蛍光像取得方法。
【請求項２】
上記生体サンプルは組織片でなり、
上記組織片の組織と同組織でなり、該組織片とは異なる他組織片の全体の明視野像を取得する取得ステップと、
上記明視野像を用いて、上記組織片に対する撮像範囲を割り当てる割当ステップと
を有し、
上記撮像範囲が割り当てられた各組織片部位それぞれに、上記合焦ステップ、上記照射光変更ステップ及び上記取得ステップがある
請求項１に記載の蛍光像取得方法。
【請求項３】
上記合焦ステップでは、
上記撮像面に結像される生体サンプル部位の一部の像を用いて、該生体サンプル部位に対して焦点を合わせる
請求項１又は請求項２に記載の蛍光像取得方法。
【請求項４】
上記生体サンプルに対する撮像範囲を割り当てる割当ステップを有し、
上記撮像面に結像される生体サンプル部位の像の一部は、上記撮像範囲が割り当てられた生体サンプル部位ごとに可変される
請求項１に記載の蛍光像取得方法。
【請求項５】
上記撮像面に結像される生体サンプル部位の像の一部は、該像よりも小さい探索範囲での密集度に基づいて決定される
請求項４に記載の蛍光像取得方法。
【請求項６】
生体サンプルのターゲットに標識されるべき蛍光体に対して未励起状態であり、該ターゲットよりも占有量の高い対照に標識されるべき蛍光体を励起状態とする光を照射する第１の光源と、
上記ターゲットに標識されるべき蛍光体を励起状態とする光を照射する第２の光源と、
上記生体サンプルの一部が撮像面に結像される程度の倍率となる対物レンズと、
上記第１の光源を駆動させて、上記対物レンズを介して撮像面に結像される生体サンプル部位の像を用いて、該生体サンプル部位に対して焦点を合わせる合焦手段と、
上記第１の光源の駆動を停止するとともに、上記第２の光源を駆動させて、上記対物レンズを介して撮像面に結像される生体サンプル部位の像を、記録対象とすべき暗視野像として取得する取得手段と
を有する蛍光像取得装置。
【請求項７】
コンピュータに対して、
生体サンプルのターゲットに標識されるべき蛍光体に対して未励起状態であり、該ターゲットよりも占有量の高い対照に標識されるべき蛍光体を励起状態とする光を照射すること、
上記撮像面に結像される生体サンプル部位の像を用いて、該生体サンプル部位に対して焦点を合わせること、
上記光に代えて、上記生体サンプルのターゲットに標識されるべき蛍光体を励起状態とする光を照射すること、
上記撮像面に結像される生体サンプル部位の像を、記録対象とすべき暗視野像として取得すること
を実行させる蛍光像取得プログラム。
【発明の詳細な説明】
【技術分野】
【０００１】
本発明は蛍光像取得方法、蛍光像取得装置及び蛍光像取得プログラムに関し、例えば組織切片を観察する分野に適用して好適なものである。
【背景技術】
【０００２】
病理学分野で用いられる生体試料は、一般に、スライドガラス等の支持体に固定され、所定の染色を施すことにより標本として作成される。
【０００３】
病理診断では、組織切片に対してＨＥ（Hematoxylin-Eosin）染色を施した標本又は塗沫細胞に対してパパニコロウ染色を施した標本を用いて、形態学の観点から悪性腫瘍の有無が１次的に判断される。また、悪性腫瘍又は悪性腫瘍に疑わしい部分が発見された場合、組織切片又は塗沫細胞に対して蛍光染色を施した標本を用いて、分子生物学の観点から悪性腫瘍の有無、種類又は進行度などが２次的に判断される。
【０００４】
このような標本はその保管期間が長期間となると、生体試料の劣化や退色等が生じ、顕微鏡での生体試料の視認性が悪くなるものである。また標本は、作成された病院等の施設以外の施設で診断されることもあるが、該生体サンプルの受け渡しは一般に郵送とされ、一定の時間を要するものである。
【０００５】
このような実情等に鑑み、生体試料を画像データとして保存する装置が提案されている（例えば特許文献１参照）。
【０００６】
ところで、生体試料全体を所定の倍率で拡大した像を得る場合、該像の全体を撮像面に結像することは困難であるため、一般には、生体試料を分割し、それら部位の拡大像を連結するといった手法が用いられる。この手法では、分割対象の試料部位ごとにステージを移動させて焦点を合わせる工程が必須となるため、それら部位の拡大像を連結するまでの期間が長くなる。
【先行技術文献】
【特許文献】
【０００７】
【特許文献１】特開２００３−２２２８０１公報
【発明の概要】
【発明が解決しようとする課題】
【０００８】
しかしながら、蛍光染色が施された試料部位の拡大像を連結する場合、当該連結するまでの期間が長くなることに起因して、ターゲットに標識されるべき蛍光体の退色が早まるのみならず生体試料に対する負担が過大となってしまう。
【０００９】
一方、蛍光染色が施された試料は、未励起状態では無色透明であるため像として写らず、該像のコントラストに基づいて合焦させることが困難となる。
【００１０】
本発明は以上の点を考慮してなされたもので、ターゲットに標識されるべき蛍光体の退色を早めず、かつ生体試料の負担を過大にさせることもなく合焦し得る蛍光像取得方法、蛍光像取得装置及び蛍光像取得プログラムを提案しようとするものである。
【課題を解決するための手段】
【００１１】
かかる課題を解決するため本発明は、蛍光像取得方法であって、生体サンプルのターゲットに標識されるべき蛍光体に対して未励起状態であり、該ターゲットよりも占有量の高い対照に標識されるべき蛍光体を励起状態とする光を照射する照射ステップと、撮像面に結像される生体サンプル部位の像を用いて、該生体サンプル部位に対して焦点を合わせる合焦ステップと、当該光に代えて、生体サンプルのターゲットに標識されるべき蛍光体を励起状態とする光を照射する照射光変更ステップと、撮像面に結像される生体サンプル部位の像を、記録対象とすべき暗視野像として取得する取得ステップとを有する。
【００１２】
また本発明は、蛍光像取得装置であって、生体サンプルのターゲットに標識されるべき蛍光体に対して未励起状態であり、該ターゲットよりも占有量の高い対照に標識されるべき蛍光体を励起状態とする光を照射する第１の光源と、ターゲットに標識されるべき蛍光体を励起状態とする光を照射する第２の光源と、生体サンプルの一部が撮像面に結像される程度の倍率となる対物レンズと、第１の光源を駆動させて、対物レンズを介して撮像面に結像される生体サンプル部位の像を用いて、該生体サンプル部位に対して焦点を合わせる合焦手段と、第１の光源の駆動を停止するとともに、第２の光源を駆動させて、対物レンズを介して撮像面に結像される生体サンプル部位の像を、記録対象とすべき暗視野像として取得する取得手段とを有する。
【００１３】
さらに本発明は、蛍光像取得プログラムであって、コンピュータに対して、生体サンプルのターゲットに標識されるべき蛍光体に対して未励起状態であり、該ターゲットよりも占有量の高い対照に標識されるべき蛍光体を励起状態とする光を照射すること、撮像面に結像される生体サンプル部位の像を用いて、該生体サンプル部位に対して焦点を合わせること、当該光に代えて、生体サンプルのターゲットに標識されるべき蛍光体を励起状態とする光を照射すること、撮像面に結像される生体サンプル部位の像を、記録対象とすべき暗視野像として取得することを実行させる。
【発明の効果】
【００１４】
本発明は、合焦対象暗視野像として取得するときには、ターゲットよりも占有量の高い対照に標識されるべき蛍光体の励起光をサンプル部位に照射し、記録対象の暗視野像として取得するときには、ターゲットに標識されるべき蛍光体の励起光をサンプル部位に照射する。
【００１５】
このため、ターゲットに標識されるべき蛍光体を発光させることなく、該ターゲットよりも占有量の高い対照に標識されるべき蛍光体のサンプル部位での像を用いて合焦することができる。この結果、本発明は、ターゲットに標識されるべき蛍光体の退色を早めず、かつ生体試料の負担を過大にさせることもなく合焦することができる。
【図面の簡単な説明】
【００１６】
【図１】生体サンプル像取得装置の構成を概略的に示す図である。
【図２】蛍光像を概略的に示す図である。
【図３】データ処理部の構成を示すブロック図である。
【図４】明視野撮像モードを実行するＣＰＵの機能的構成を示すブロック図である。
【図５】明視野全体像を示す写真である。
【図６】生体サンプルに対する撮像範囲の割り当ての説明に供する概略図である。
【図７】暗視野撮像モードを実行するＣＰＵの機能的構成を示すブロック図である。
【図８】対照マーカーの暗視野部位像を示す写真である。
【図９】合焦対象として用いるべき像の一部の具体例を示す概略図である。
【図１０】対照マーカー及び蛍光マーカの暗視野部位像を示す写真である。
【図１１】暗視野像取得処理手順を示すフローチャートである。
【図１２】他の実施の形態における対照励起光源の配置（１）を概略的に示す図である。
【図１３】他の実施の形態における対照励起光源の配置（２）を概略的に示す図である。
【発明を実施するための形態】
【００１７】
以下、発明を実施するための形態について説明する。なお、説明は以下の順序とする。
＜１．実施の形態＞
［１−１．生体サンプル像取得装置の構成］
［１−２．顕微鏡の構成］
［１−３．データ処理部の構成］
［１−４．明視野撮像モードの具体的処理内容］
［１−５．暗視野撮像モードの具体的処理内容］
［１−６．暗視野撮像モードにおける像取得処理手順］
［１−７．効果等］
＜２．他の実施の形態＞
【００１８】
＜１．実施の形態＞
［１−１．生体サンプル像取得装置の構成］
図１において、本一実施の形態による生体サンプル像取得装置１を示す。この生体サンプル像取得装置１は、顕微鏡１０と、データ処理部２０とを含む構成とされる。
【００１９】
［１−２．顕微鏡の構成］
顕微鏡１０は、ガラス板等のスライドＳＧが配される面（以下、これをスライド配置面とも呼ぶ）に対して平行方向及び直交方向（ｘ軸、ｙ軸及びｚ軸方向）にそれぞれ移動可能なステージ（以下、これを可動ステージとも呼ぶ）３１を有する。このスライド配置面にはスライドホルダー３２が設けられる。
【００２０】
スライドホルダー３２は、スライドＳＧがセットされる場合、セット場所として指定される位置（以下、これをスライドセット位置とも呼ぶ）に移動される。スライドセット位置では、スライド収容器（図示せず）に収容されるスライドＳＧが、スライドセット機構（図示せず）によって取り出されスライドホルダー３２にセットされる。
【００２１】
スライド収容器（図示せず）に収容されるスライドＳＧには、血液等の結合組織、上皮組織又はそれらの双方の組織などの組織切片又は塗抹細胞が、生体サンプルＳＰＬとして所定の固定手法により固定され、必要に応じて染色される。
【００２２】
この染色には、ＨＥ（ヘマトキシリン・エオジン）染色、ギムザ染色又はパパニコロウ染色等に代表される一般染色のみならず、ＦＩＳＨ(Fluorescence  In-Situ  Hybridization)や酵素抗体法等の蛍光染色が含まれる。
【００２３】
蛍光染色では、一般に、プローブに付される蛍光標識体（以下、これを蛍光マーカーとも呼ぶ）のほかに、該プローブの蛍光マーカーと対比させるべき蛍光標識体（以下、これを対照マーカーとも呼ぶ）が用いられる。
【００２４】
対照マーカーは、蛍光マーカーにおける励起波長とは異なる励起波長とされる。例えば、おおよそ３６５[ｎｍ]の励起波長でなり、ＤＡＰＩ（4’,6-diamidino-2-pheylindole）が慣用される。ＤＡＰＩでは、細胞核が、蛍光マーカーのターゲットと対比すべきターゲット（以下、これを対照ターゲットとも呼ぶ）とされる。
【００２５】
生体サンプルＳＰＬが撮像される場合、鏡検場所として指定される位置（以下、これを鏡検位置とも呼ぶ）にスライドホルダー３２が移動される。この場合、明視野撮像モード又は暗視野撮像モードが実行される。
【００２６】
明視野撮像モードの場合、明視野光源４１から、生体サンプルＳＰＬに対する照明光が照射される。この照明光は、反射ミラー４２により折り曲げられ、明視野フィルタ４３を介して可視光帯域の光として、鏡検位置にある生体サンプルＳＰＬに照射され、対物レンズ４４に到達する。
【００２７】
対物レンズ４４は、生体サンプルＳＰＬ全体が含まれる像（以下、これを明視野全体像とも呼ぶ）として結像される程度の低倍率、若しくは、生体サンプルＳＰＬにおける一部分の像（以下、これを明視野部位像とも呼ぶ）として結像される程度の高倍率とされる。
【００２８】
顕微鏡１０は、照明光を通して得られる生体サンプルＳＰＬの像を、対物レンズ４４と結像レンズ４５とでそれぞれ拡大し、明視野全体像又は明視野部位像として撮像素子４６の撮像面に結像する。
【００２９】
このように顕微鏡１０は、明視野撮像モードでは、生体サンプルＳＰＬにおける全体又は部位の明視野像（明視野全体像又は明視野部位像）を取得することができるようになされている。
【００３０】
なお、図１では、対物レンズ４４と結像レンズ４５との光路間にダイクロイックミラー５４、エミッションフィルタ５５が存在する。しかし明視野撮像モードの場合、明視野フィルタ４３から入射される可視光帯域の光がこれらフィルタに吸収あるいは反射されないように、該ダイクロイックミラー５４及びエミッションフィルタ５５は、当該光路以外の位置に退避される。
【００３１】
一方、暗視野撮像モードの場合、励起光源５１から、プローブの蛍光マーカー及び対照マーカーの双方を励起する光（以下、これを励起光とも呼ぶ）が照射される。励起光が照射される際の対物レンズ４４は、生体サンプルＳＰＬにおける一部分の蛍光像（以下、これを暗視野部位像とも呼ぶ）として結像される程度の高倍率とされる。
【００３２】
励起光源５１から照射される励起光は、コリメータレンズ５２によって平行光線とされ、エキサイトフィルター５３によって励起光以外の光が除かれる。エキサイトフィルター５３を透過する励起光は、ダイクロイックミラー５４を反射し、対物レンズ４４によって鏡検位置に集光される。
【００３３】
鏡検位置に配される生体サンプルＳＰＬのターゲット及び対比ターゲットにプローブが結合する場合、該プローブに付される蛍光マーカー及び対照マーカーが励起光により発光する。この発光は、対物レンズ４４を介してダイクロイックミラー５４を透過し、エミッションフィルタ５５によって蛍光体の発光以外の光が吸収され、結像レンズ４５に到達する。
【００３４】
顕微鏡１０は、この蛍光マーカー及び対照マーカーの発光を通して得られる像を、対物レンズ４４と結像レンズ４５とでそれぞれ拡大し、暗視野部位像として撮像素子４６の撮像面に結像する。
【００３５】
このように顕微鏡１０は、暗視野撮像モードでは、サンプル部位の蛍光像（暗視野部位像）を取得することができるようになされている。
【００３６】
なお、図１では、エキサイトフィルター５３とダイクロイックミラー５４との光路間にはダイクロイックミラー６３が存在するが、該ダイクロイックミラー６３ではエキサイトフィルター５３を透過する励起光は透過される。
【００３７】
ここで、生体サンプルＳＰＬの蛍光像（暗視野部位像）を図２に一例として示す。この図２は、abbott社のＨＥＲ−２ＤＮＡプローブキットのPathVysionと呼ばれる試薬を用いて、ＦＩＳＨ法により乳腺組織を染色したものである。
【００３８】
図２における矢印がさす部分は蛍光マーカーであり、具体的にはＨＥＲ２蛋白質をコードするＨＥＲ２／ｎｅｕ遺伝子に対するプローブに付される蛍光マーカーである。また図２における網状の密集部分は対照マーカーであり、ＨＥ染色における組織の外形とおおよそ一致する外形となる。
【００３９】
ちなみに上記試薬には、ＨＥＲ２／ｎｅｕ遺伝子に対するプローブのほかに、１７番染色体のセントロメア領域のアルファサテライトＤＮＡ配列に対するプローブの蛍光マーカーも含まれるが、便宜上、図２では省略されている。
【００４０】
かかる構成に加えてこの顕微鏡１０は、蛍光マーカーに対して未励起状態であり、対照マーカーを励起状態とする励起光（以下、これを対照専用励起光とも呼ぶ）を照射する光源(以下、これを対照励起光源とも呼ぶ)６１を有する。
【００４１】
この対照専用励起光は、生体サンプルＳＰＬに対する暗視野部位像を取得する場合、その合焦過程において対照励起光源６１から照射される。
【００４２】
対照励起光源６１から照射される対照専用励起光は、コリメータレンズ６２によって平行光線とされ、ダイクロイックミラー６３及びダイクロイックミラー５４をそれぞれ反射し、対物レンズ４４によって鏡検位置に集光される。
【００４３】
鏡検位置に配される生体サンプルＳＰＬの対比ターゲットにプローブが結合する場合、該プローブに付される対照マーカーが、対照専用励起光により発光する。この発光は、対物レンズ４４を介してダイクロイックミラー５４を透過し、エミッションフィルタ５５によって蛍光体の発光以外の光が吸収され、結像レンズ４５に到達する。
【００４４】
顕微鏡１０は、この対照マーカーの発光を通して得られる像を、対物レンズ４４と結像レンズ４５とでそれぞれ拡大し、暗視野部位像として撮像素子４６の撮像面に結像する。
【００４５】
データ処理部２０は、この暗視野部位像を用いて、対応するサンプル部位に焦点が合うよう可動ステージ３１を制御する。またデータ処理部２０は、サンプル部位に焦点が合った場合、対照励起光源６１に代えて励起光源５１から励起光を照射させ、該励起光によって得られる暗視野部位像を保存する。
【００４６】
このように生体サンプル像取得装置１は、対照専用励起光によって得られる暗視野部位像を合焦対象の暗視野部位像とし、励起光によって得られる暗視野部位像を保存対象の暗視野部位像として取得するようになされている。
【００４７】
［１−３．データ処理部の構成］
次に、データ処理部２０の構成について説明する。このデータ処理部２０は、図３に示すように、制御を司るＣＰＵ(Central Processing Unit)７１に対して各種ハードウェアを接続することにより構成される。
【００４８】
具体的にはＲＯＭ(Read Only Memory)７２、ＣＰＵ７１のワークメモリとなるＲＡＭ(Random Access Memory)７３、ユーザの操作に応じた命令を入力する操作入力部７４、インターフェイス部７５、表示部７６及び記憶部７７がバス７８を介して接続される。
【００４９】
ＲＯＭ７２には、各種の処理を実行するためのプログラムが格納される。インターフェイス部７５は、顕微鏡１０（可動ステージ３１、光源４１，５１，６１、撮像素子４６、対物レンズ４４とエミッションフィルタ５５の駆動系）と接続される。
【００５０】
表示部７６には、液晶ディスプレイ、ＥＬ（Electro Luminescence）ディスプレイ又はプラズマディスプレイ等が適用される。また記憶部７７には、ＨＤ（Hard Disk）に代表される磁気ディスクもしくは半導体メモリ又は光ディスク等が適用される。ＵＳＢ（Universal Serial Bus）メモリやＣＦ（Compact Flash）メモリ等のように可搬型メモリが適用されてもよい。
【００５１】
ＣＰＵ７１は、ＲＯＭ７２に格納される複数のプログラムのうち、操作入力部７４から与えられる命令に対応するプログラムをＲＡＭ７３に展開し、該展開したプログラムにしたがって、表示部７６及び記憶部７７を適宜制御する。
【００５２】
またＣＰＵ７１は、展開したプログラムにしたがって、インターフェイス部７５を介して顕微鏡１０の各部を適宜制御するようになされている。
【００５３】
［１−４．明視野撮像モードの具体的処理内容］
ＣＰＵ７１は、明視野撮像モードの実行命令を操作入力部２４から受けた場合、当該撮像モードに対応するプログラムをＲＡＭ２３に展開する。
【００５４】
この場合、ＣＰＵ７１は、明視野撮像モードに対応するプログラムにしたがって、図４に示すように、スライドセット制御部８１、明視野像取得部８２及びデータ記録部８３として機能する。
【００５５】
スライドセット制御部８１は、撮像モードに実行命令を受けた場合、明視野像取得部８２又はスライドを交換すべき通知を受けた場合、可動ステージ３１を駆動してスライドセット位置にスライドホルダー３２を位置させる。
【００５６】
またスライドセット制御部８１は、スライドセット位置にスライドホルダー３２を位置させた場合、所定の待機期間を経過した後に再駆動し、該スライドセット位置から鏡検位置にスライドホルダー３２を位置させる。待機期間では、図１を用いて上述したように、スライド収容器に収容されるスライドＳＧが、スライドセット機構によってスライドホルダー３２にセットされる。
【００５７】
明視野像取得部８２は、例えばスライドホルダー３２が鏡検位置に位置された時点を契機として、ダイクロイックミラー５４と結像レンズ４５との間における光軸上に低倍率の対物レンズ４４を配置させるとともに、明視野光源４１を駆動させる。
【００５８】
そして明視野取得部８２は、撮像素子４６に結像される明視野全体像のコントラストに基づいて生体サンプルＳＰＬに焦点を合わせて、例えば図５に示すような明視野全体像を取得する。
【００５９】
明視野像取得部８２は、明視野全体像を取得した場合、光路上の所定位置に配置されている低倍率の対物レンズ４４に代えて、高倍率とされる所定の対物レンズ４４を光路上の所定位置に配置させる。
【００６０】
そして明視野像取得部８２は、明視野全体像から生体サンプルＳＰＬの輪郭を検出する。この輪郭の検出には、例えば、生体サンプルＳＰＬと他の領域とを区別する２値化処理を施した後に、生体サンプルＳＰＬの外形を抽出する抽出処理を施す手法が適用される。
【００６１】
明視野像取得部８２は、明視野全体像における生体サンプルＳＰＬの輪郭を検出すると、部位像を撮像すべき範囲（以下、これを撮像範囲とも呼ぶ）の大きさを決定し、図６に示すように、該撮像範囲ＡＲを生体サンプルＳＰＬに対して割り当てる。
【００６２】
撮像範囲ＡＲは、少なくとも対物レンズ４４の倍率と、撮像素子４６における撮像面のサイズとに基づいて決定され、生体サンプルＳＰＬの輪郭の一部を含む又は輪郭内に含まれることを条件として割り当てられる。なお、この図６では、撮像範囲ＡＲが重ならない態様となっているが、隣接する領域の一部が重なる態様であってもよい。
【００６３】
明視野像取得部８２は、明視野全体像における生体サンプルＳＰＬに対して撮像範囲ＡＲを割り当てると、生体サンプルＳＰＬの各部位が撮像範囲ＡＲとなるよう可動ステージ３１を順次移動させて、当該撮像範囲ＡＲにおける各部位での明視野部位像を取得する。
【００６４】
そして明視野像取得部８２は、各明視野部位像を連結することにより、当該連結像（以下、これを明視野部位連結像とも呼ぶ）を生成する。このとき明視野像取得部８２は、スライドセット制御部８１に対してスライドを交換すべき旨を通知するようになされている。
【００６５】
データ記録部８３は、明視野像取得部８２によって明視野部位連結像が生成された場合、その生成過程で取得された明視野部位像及び明視野全体像と、該明視野部位連結像とに関するデータ（以下、これを明視野像データとも呼ぶ）を生成し、これを記憶部７７に記録する。
【００６６】
このときデータ記録部８３は、明視野像取得部８２が明視野全体像における生体サンプルＳＰＬに対して割り当てた撮像範囲ＡＲに関するデータ（以下、これを撮像範囲割当データとも呼ぶ）を生成し、これを明視野像データに関連付ける。
【００６７】
さらにデータ記録部８３は、この明視野像データに対して、生体サンプルＳＰＬに関するデータ（以下、これをサンプルデータとも呼ぶ）も関連付けるようになされている。
【００６８】
このサンプルデータは、例えば、生体サンプルＳＰＬの採取者名、採取者性別、採取者年齢及び採取日付等といった情報である。また付加情報は、操作入力部７４からの入力又はスライドガラスＳＧに付されたバーコードを読み取る読取部によって得られる。
【００６９】
［１−５．暗視野撮像モードの具体的処理内容］
ＣＰＵ７１は、暗視野撮像モードの実行命令を操作入力部２４から受けた場合、当該撮像モードに対応するプログラムをＲＡＭ２３に展開する。
【００７０】
この場合、ＣＰＵ７１は、暗視野撮像モードに対応するプログラムにしたがって、図４との対応部分に同一符号を付した図７に示すように、スライドセット制御部８１、暗視野像取得部９２及びデータ記録部９３として機能する。
【００７１】
暗視野像取得部９２は、例えばスライドホルダー３２が鏡検位置に位置された時点を契機として、ダイクロイックミラー５４と結像レンズ４５との間における光軸上に高倍率の対物レンズ４４を配置させる。
【００７２】
また暗視野像取得部９２は、このときスライドホルダー３２に配される生体サンプルＳＰＬに関するサンプルデータを取得し、該サンプルデータに示される例えば採取者名及び採取日付と一致するサンプルデータを記憶部７７から探索する。
【００７３】
暗視野像取得部９２は、記憶部７７からサンプルデータが検出されない場合、その旨を例えば表示部７６を介して通知する。
【００７４】
一方、暗視野像取得部９２は、記憶部７７からサンプルデータが検出された場合、そのサンプルデータに関連付けられる撮像範囲割当データを記憶部７７から読み出す。そして暗視野像取得部９２は、現段階でスライドホルダー３２に配される生体サンプルＳＰＬに対して、明視野撮像モードでの生体サンプルＳＰＬに対する割り当て状態と同じように、撮像範囲ＡＲ（図６）を割り当てる。
【００７５】
したがって、生体サンプルＳＰＬにおける蛍光体が未励起状態であっても、スライドホルダー３２に固定されるスライドＳＤのうち生体サンプルＳＰＬ部分だけが、割当対象として正確に割り当てられる。
【００７６】
暗視野像取得部９２は、生体サンプルＳＰＬに対して撮像範囲ＡＲを割り当てると、その撮像範囲ＡＲが割り当てられた各サンプル部位を所定の順序で取得対象として決定し、当該取得対象としたサンプル部位の像（暗視野部位像）を取得する。
【００７７】
ここで、取得対象として決定した一のサンプル部位の像（暗視野部位像）の取得手法を具体的に説明する。すなわち、暗視野像取得部９２は、生体サンプルＳＰＬのうち、取得対象のサンプル部位が撮像範囲となるよう可動ステージ３１をｘ軸又はｙ軸方向へ移動させた後、対照励起光源６１を駆動して生体サンプルＳＰＬに対照専用励起光を照射させる。
【００７８】
この結果、撮像素子４６には、対照専用励起光によって励起される対照マーカーのうち、取得対象のサンプル部位における対照マーカーの暗視野像（暗視野部位像）が結像される。なお、対照マーカーの暗視野部位像を図８に示す。
【００７９】
暗視野像取得部９２は、撮像素子４６から、この暗視野部位像の一部を取得し、その一部のコントラストに基づいて取得対象のサンプル部位に対する焦点を合わせる。したがって、暗視野部位像全体のコントラストに基づいて合焦する場合に比べると合焦期間の高速化が図られる。
【００８０】
なお、合焦対象として用いるべき暗視野部位像の一部は、例えば、図９（Ａ）示すように所定間隔ラインごととしてもよく、図９（Ｂ）示すように中心画素及びその周囲の画素としてもよい。
【００８１】
暗視野像取得部９２は、取得対象のサンプル部位に対する合焦が終了すると、対照励起光源６１に対する駆動を停止するとともに、励起光源５１を駆動させる。この結果、撮像素子４６には、対照励起光によって励起される対照マーカー及び蛍光マーカーのうち、例えば図１０に示すように、取得対象のサンプル部位における対照マーカー及び蛍光マーカーの暗視野像（暗視野部位像）が結像される。
【００８２】
暗視野像取得部９２は、撮像素子４６から、この暗視野部位像の全体を記録対象の暗視野部位像として取得する。
【００８３】
このように暗視野像取得部９２では、上述の取得手法によって、各サンプル部位に対する記録対象の暗視野部位像が所定の順序で取得される。
【００８４】
暗視野像取得部９２は、各サンプル部位に対する記録対象の暗視野部位像を取得した場合、これら暗視野部位像を連結することにより、当該連結像（以下、これを暗視野部位連結像とも呼ぶ）を生成する。なお、このとき暗視野像取得部９２は、スライドセット制御部８１に対してスライドを交換すべき旨を通知する。
【００８５】
データ記録部９３は、暗視野像取得部９２によって各サンプル部位に対する記録対象の暗視野部位像が取得された場合、その生成過程で取得された暗視野部位像と、該暗視野部位連結像とに関するデータ（以下、これを暗視野像データとも呼ぶ）を生成する。
【００８６】
そしてデータ記録部９３は、この暗視野像データを、該暗視野像データの生成過程で暗視野像取得部９２によって読み出された撮像範囲割当データが関連付けられている明野像データに関連付けた状態で記憶部７７に記録する。
【００８７】
［１−６．暗視野撮像モードにおける暗視野像取得処理手順］
次に、暗視野像取得処理手順を、図１１に示すフローチャートを用いて説明する。
【００８８】
ＣＰＵ７１は、撮像モードに実行命令を受けると、この暗視野像取得処理手順を開始し、ステップＳＰ１に進んで、スライドセット位置にスライドホルダー３２を位置させ、次のステップＳＰ２に進む。
【００８９】
ＣＰＵ７１は、ステップＳＰ２では、所定の待機期間を経過後、スライドセット位置から鏡検位置にスライドホルダー３２を位置させ、次のステップＳＰ３に進む。ＣＰＵ７１は、ステップＳＰ３では、ダイクロイックミラー５４と結像レンズ４５との間における光軸上に高倍率の対物レンズ４４を配置させ、ステップＳＰ４に進む。
【００９０】
ＣＰＵ７１は、ステップＳＰ４では、スライドホルダー３２に配される生体サンプルＳＰＬに対して、明視野撮像モードでの生体サンプルＳＰＬに対する割り当て状態と同じように、撮像範囲ＡＲ（図６）を割り当て、ステップＳＰ５に進む。
【００９１】
ＣＰＵ７１は、ステップＳＰ５では、撮像範囲ＡＲが割り当てられたサンプル部位のうち、一のサンプル部位を取得対象として決定し、次のステップＳＰ６に進む。ＣＰＵ７１は、ステップＳＰ６では、対照励起光源６１を駆動させ、取得対象のサンプル部位における対照マーカーの暗視野像（暗視野部位像）における一部のコントラストに基づいて、該取得対象のサンプル部位に焦点を合わせて、ステップＳＰ７に進む。
【００９２】
ＣＰＵ７１は、ステップＳＰ７では、対照励起光源６１の駆動を停止させるとともに励起光源５１を駆動し、ステップＳＰ８に進む。ＣＰＵ７１は、ステップＳＰ８では、取得対象のサンプル部位における対照マーカー及び蛍光マーカーの暗視野像を記録対象の暗視野部位像として取得し、ステップＳＰ９に進む。
【００９３】
ＣＰＵ７１は、ステップＳＰ９では、励起光源５１の駆動を停止させ、次のステップＳＰ１０に進む。ＣＰＵ７１は、ステップＳＰ１０では、撮像範囲ＡＲを割り当てた全てのサンプル部位の暗視野部位像を取得したか否かを判定し、未取得となるサンプル部位が残っている場合、ステップＳＰ５に戻る。
【００９４】
一方、全てのサンプル部位の暗視野部位像を取得した場合、ＣＰＵ７１は、次のステップＳＰ１１に進んで、これら暗視野部位像を連結して暗視野部位連結像を生成し、ステップＳＰ１２に進む。
【００９５】
ＣＰＵ７１は、ステップＳＰ１２では、ステップＳＰ１１で取得した暗視野部位連結像と、当該連結像の連結元である暗視野部位像とに関する暗視野像データを生成し、これを対応する明視野像データに関連付けて記憶部７７に記憶した後、ステップＳＰ１３に進む。
【００９６】
ＣＰＵ７１は、ステップＳＰ１３では、スライド収容器にスライドガラスＳＧが残っているか否かを判定し、残っている場合には、ステップＳＰ１に戻って上述の処理を繰り返す。一方、ＣＰＵ７１は、スライド収容器におけるスライドガラスＳＧが未収用である場合には、この暗視野像取得処理手順を終了する。
【００９７】
［１−７．効果等］
以上の構成において、この生体サンプル像取得装置１は、暗視野部位像を取得する場合、対照励起光源６１を駆動し、取得対象のサンプル部位に対して対照専用励起光を照射する。そして生体サンプル像取得装置１は、対照専用励起光によって励起されるサンプル部位での対照マーカーの暗視野像におけるコントラストに基づいて、該生体サンプル部位に焦点を合わせる。
【００９８】
また生体サンプル像取得装置１は、取得対象のサンプル部位の合焦が終了すると、対照励起光源６１に代えて励起光源５１を駆動し、取得対象のサンプル部位に対して励起光を照射する。そして生体サンプル像取得装置１は、励起光によって励起されるサンプル部位での蛍光マーカー及び対照マーカーの暗視野像を、記録対象とすべき暗視野部位像として取得する。
【００９９】
対照マーカーは、細胞核をターゲットとするため、特定の遺伝子をターゲットとする蛍光マーカーに比べて生体サンプルＳＰＬに占める量が格段に多く、生体サンプルをおぼろげながらも全体的に示す光を呈するものとなる。
【０１００】
したがって生体サンプル像取得装置１は、蛍光マーカーを発光させることなく生体サンプルＳＰＬにおける各サンプル部位に対して高精度で合焦することができ、この結果、記録対象とすべき各サンプル部位の暗視野部位像をそれぞれ取得することができる。
【０１０１】
ところで、励起光源５１には、一般に、水銀ランプ、キセノンランプ又はメタルハライドランプが適用される。これらランプにおける波長のスペクトルが定まっていることもあり、エキサイトフィルター５３，エミッションフィルタ５５の透過率は、対照マーカーよりも蛍光マーカーが明るく観察されるよう調整されている。
【０１０２】
このため、励起光源５１を用いて対照マーカーを観察しようとする場合には、蛍光マーカーを観察するときに比べて励起光源５１での照射強度を強くする必要がある。したがってこの場合には、蛍光マーカー及び対照マーカー双方の退色が早まるのみならず生体サンプルＳＰＬに対する負担が過大となってしまう。
【０１０３】
一方、励起光源５１から照射される励起光のうち、対照マーカーだけ励起させる光のみをフィルタにより抽出する場合には、暗視野部位像に焦点を合わせるときと、暗視野部位像を取得するときとにおいてフィルタの交換が必須となる。したがってこの場合には、フィルタ数の増加により大型化する。またこの場合には、暗視野部位像の取得期間が従来よりも長期化することになるため現実的ではない。
【０１０４】
これに対し生体サンプル像取得装置１は、対照励起光源６１から対照専用励起光を照射するものである。このためこの生体サンプル像取得装置１では、蛍光マーカー及び対照マーカー双方の退色を必要以上に早めることなく、励起光源５１を用いて対照マーカーを観察する場合に比べて暗視野部位像をより高速に取得することができる。
【０１０５】
以上の構成によれば、対照専用励起光により励起される対照マーカーの暗視野像を用いて合焦するようにしたことにより、ターゲットに標識されるべき蛍光体の退色を早めず、かつ生体試料の負担を過大にさせることもなく合焦し得る生体サンプル像取得装置１が実現できる。
【０１０６】
＜２．他の実施の形態＞
上述の実施の形態では、生体サンプルＳＰＬに対して、対物レンズ４４に対向するサンプル面に対照専用励起光が照射された。しかしながら、対物レンズ４４に対向するサンプル面に対して逆側のサンプル面に対照専用励起光を照射する態様が適用されてもよい。
【０１０７】
一例として図１との対応部分に同一符号を付した図１２に示す。この図１２の例では、暗視野撮像モードの場合、明視野光源４１が配される所定の光源位置に、該明視野光源４１に代えて対照励起光源６１が配される。また光源位置と、反射ミラー４２との間の光路上にコリメートレンズ６２が配され、該光路上から明視野フィルタ４３が退避される。対照励起光源６１から照射される対照専用励起光は、コリメートレンズ６２により平行光線とされ、反射ミラー４２を介して、対物レンズ４４に対向するサンプル面に対して逆側のサンプル面に導かれる。この図１２の例は、図１の場合に比べてダイクロイックミラー６３を省略できる。
【０１０８】
別例として図１との対応部分に同一符号を付した図１３に示す。この図１３の例では、対物レンズ４４に対向するサンプル面に対して逆側のサンプル面に対して斜めから対照専用励起光が直接的に照射されるよう対照励起光源６１と、コリメートレンズ６２とが配される。この図１３の例も、図１２の例と同様に、図１の場合に比べてダイクロイックミラー６３を省略できる。また図１３の例は、図１２の例のようにフィルタやレンズの移動を要することなく、生体サンプルＳＰＬに対して直接的に対照専用励起光を照射可能な点で有用である。
【０１０９】
上述の実施の形態では、サンプル部位に対する合焦対象として、対照マーカーの暗視野部位像の一部（図８）が用いられた。この一部は、撮像範囲ＡＲが割り当てられたサンプル部位それぞれに対して固定とされたが可変とするようにしてもよい。
【０１１０】
一般に、生体サンプルＳＰＬ（特に組織片）では、細胞が均一に存在するのではなく、細胞が密集する部分と、散在する部分とが存在する。密集部分では、真にターゲットとされる蛍光マーカーの存在確立が散在部分に比べて高いものであり、該密集部分に対応する対照マーカーの暗視野部位像の輝度は大きくなる。つまり、対照マーカーの暗視野部位像の密集部分が、着目すべき部分（合焦に用いるべき部分）となる。
【０１１１】
そこで、取得対象とされるサンプル部位での対照マーカーの暗視野部位像を撮像素子４６から最初に読み出すときには、該暗視野部位像全体を読み出し、読み出した暗視野部位像全体から合焦に用いるべき一部を決定する。
【０１１２】
この決定手法は、例えば１６×１６画素又は８×８画素等のように暗視野部位像よりも小さい探索範囲での密集度が高い順序で、合焦に用いるべき所定数の部分を決定する。密集度は、例えば、探索範囲のうち閾値以上の輝度を呈する画素の数や、探索範囲における輝度ヒストグラムの尖度（直線性）を適用することができる。
【０１１３】
なお、輝度ヒストグラムは、探索範囲における輝度値の分布を、画素を度数としたものであるが、当該分布の広がりを表す分散を「１」として正規化するほうが好ましい。これは、撮像範囲ＡＲが割り当てられた各サンプル部位の暗視野部位像それぞれを同じ尺度とすることができるからである。
【０１１４】
このようにすれば、撮像範囲ＡＲが割り当てられたサンプル部位それぞれにおいて、蛍光マーカーの存在確立が高い部位で合焦が可能となる。
【０１１５】
上述の実施の形態では、対照マーカーとして、細胞核を対照とするＤＡＰＩが用いられた。しかしながら対照マーカーはこの実施の形態に限定されるものではない。例えば、細胞組織（又はその細胞組織に特有となる分子）を対照とする対照マーカーが適用されてもよく、細胞質（又はその細胞質に特有となる分子）を対照とする対照マーカーが適用されてもよい。もちろんこれら例示以外を対照とする対照マーカーが適用されてもよい。
【０１１６】
なお、対照マーカーは上述の実施の形態では１種類であったが、２以上の種類を用いるようにしてもよい。このようにする場合、対照マーカーごとに専用となる励起光源を設ける、あるいは、ターゲットの蛍光体には未励起状態であるが各対照マーカーそれぞれを励起する１つの励起光源を設ければ、上述の実施の形態と同様の効果を得ることができる。
【０１１７】
また上述の実施の形態では、生体サンプルＳＰＬにおけるターゲットとして遺伝子が適用された。しかしながら生体サンプルＳＰＬにおけるターゲットはこの実施の形態に限定されるものではない。たとえば、細胞膜チャンネルなどの蛋白分子、糖蛋白分子又は糖鎖分子など、種々の分子をターゲットとしてこの実施の形態を適用することができる。
【０１１８】
また上述の実施の形態における合焦は、固定とされる対物レンズ４４の光軸方向に可動ステージ３１をＺ軸方向（光軸方向）に移動させた。しかしながらこの実施の形態に代えて、可動ステージ３１を固定とし、その可動ステージ３１に対してＺ軸方向（光軸方向）に対物レンズ４４を移動させる形態が適用されてもよい。
【産業上の利用可能性】
【０１１９】
本発明は、遺伝子実験、医薬の創製又は患者の経過観察などのバイオ産業上において利用することができる。
【符号の説明】
【０１２０】
１……生体サンプル像取得装置、１０……顕微鏡、２０……データ処理部、３１……可動ステージ、３２……スライドホルダー、４１……明視野光源、４２……反射ミラー、４３……明視野フィルタ、４４……対物レンズ、４５……結像レンズ、４６……撮像素子、５１……励起光源、５２，６２……コリメータレンズ、５３……エキサイトフィルター、５４，６３……ダイクロイックミラー、５５……エミッションフィルタ、６１……対照励起光源、７１……ＣＰＵ、７２……ＲＯＭ、７３……ＲＡＭ、７４……操作入力部、７５……インターフェイス、７６……表示部、７７……記憶部、８１……スライドセット制御部、８２……明視野像取得部、８３，９３……データ記録部、９２……暗視野像取得部、ＳＧ……スライドガラス、ＳＰＬ……生体サンプル。
【図１】
2011053361.tif 000003
【図２】
2011053361.tif 000004
【図３】
2011053361.tif 000005
【図４】
2011053361.tif 000006
【図６】
2011053361.tif 000007
【図７】
2011053361.tif 000008
【図９】
2011053361.tif 000009
【図１１】
2011053361.tif 000010
【図１２】
2011053361.tif 000011
【図１３】
2011053361.tif 000012
【図５】
2011053361.tif 000013
【図８】
2011053361.tif 000014
【図１０】
2011053361.tif 000015